(57)【要約】      （修正有）【課題】湿潤状態の毛髪に対するブラッシング時のダメージを低減することができるヘアブラシを提供する。【解決手段】ヘアブラシ１０は、棒状突起が立設されたブラシ面１３を有するヘッド部１２と柄とを有している。ブラシ面１３は、長手方向Ｘ及び該長手方向と直交する幅方向Ｙを有している。ヘアブラシ１０は、幅方向Ｙの中央部に、第１突起１５，１７が、相互間に間隔を設けて１本ずつ独立した状態に設けられた第１突起領域を有し、幅方向Ｙにおける第１突起領域を挟む両側それぞれに、第１突起１５，１７に比して断面積が大きく長さが短い第２突起１６が、長手方向Ｘに沿って複数形成された第２突起列を有している。【選択図】図２
2020081854.tif 000002
【特許請求の範囲】
【請求項１】
棒状突起が立設されたブラシ面を有するヘッド部と柄とを有するヘアブラシであって、
前記ブラシ面は、長手方向及び該長手方向と直交する幅方向を有しており、
前記ブラシ面の前記幅方向の中央部に、第１突起が、相互間に間隔を設けて１本ずつ独立した状態に設けられた第１突起領域を有し、前記幅方向における第１突起領域を挟む両側それぞれに、第１突起に比して断面積が大きく長さが短い第２突起が、前記長手方向に沿って複数形成された第２突起列を有する、ヘアブラシ。
【請求項２】
第２突起の曲げ剛性が、第１突起の曲げ剛性よりも高い、請求項１に記載のヘアブラシ。
【請求項３】
第２突起の長さが、第１突起の長さの４０％以上８０％以下である、請求項１又は２に記載のヘアブラシ。
【請求項４】
第１突起及び第２突起が、合成樹脂製である、請求項１〜３の何れか１項に記載のヘアブラシ。
【請求項５】
第１突起領域に、前記長手方向及び前記幅方向に分散した状態に複数の植毛穴が形成されており、第１突起は、個々の前記植毛穴に対して１本ずつのみ立設された植毛突起である、請求項１〜４の何れか１項に記載のヘアブラシ。
【請求項６】
第２突起が、前記ブラシ面又は該ブラシ面の下に配された連続部と一体に成形された成形突起である、請求項１〜５の何れか１項に記載のヘアブラシ。
【請求項７】
第２突起と、第２突起と一体に成形されている前記ブラシ面又は前記連続部とが、軟質樹脂から形成されている、請求項６に記載のヘアブラシ。
【請求項８】
第２突起及び前記柄が、導電性樹脂で形成されており、第２突起と該柄との間が電気的に接続されている、請求項１〜７の何れか１項に記載のヘアブラシ。
【請求項９】
第１突起は、断面積が相互に異なる第１小突起及び第１大突起を有し、第１大突起の断面積は、第１小突起よりも大きく、且つ第２突起よりも小さく、
第１突起領域には、第１大突起が前記長手方向に沿って複数形成されている、請求項１〜８の何れか１項に記載のヘアブラシ。
【請求項１０】
第１突起は、その先端に球状体を有している、請求項１〜９の何れか１項に記載のヘアブラシ。 
【発明の詳細な説明】
【技術分野】
【０００１】
本発明は、ヘアブラシに関する。
【背景技術】
【０００２】
毛髪の手入れを行う際に使用するヘアブラシとして、ブラシ面に複数の突起が一方向に並んだ突起列を有し、ブラシ面の領域又は突起列ごとに突起の長さや太さが異なっているものが知られている。例えば、特許文献１には、ブラシ台において、中央領域に毛足の短いブラシ毛を、該中央領域を囲う外周領域に毛足の長いブラシ毛を、それぞれ間隔を空けて配設したヘアブラシが記載されている。
【０００３】
また、特許文献２には、幅方向中央に細毛の毛束群からなるヘア処理液保持材と、該ヘア処理液保持材の両側に前記細毛より高さの高いブラシ毛からなるブラシ毛植毛列とを備えたヘアブラシが記載されている。
【０００４】
また、特許文献３には、２本のモノフィラメントを二つ折りにして、長短２本ずつのブリッスルが一方向に並んだブリッスル列を複数有するヘアブラシが記載されている。
【０００５】
また、特許文献４には、複数の歯が長手方向に直列したコームを複数組み合わせて構成されており、ブラシ面の中央に配されるコームの歯の長さが長く、ブラシ面の外側に配されるコームの歯の長さが短いヘアブラシが記載されている。
【０００６】
一方、特許文献５には、先端に向かって先細り形状を有する複数の毛材が所定の配列で並んでおり、該毛材の長さや太さが全て同じであるヘアブラシが記載されている。
【先行技術文献】
【特許文献】
【０００７】
【特許文献１】実開昭６１−１９２７３０号公報
【特許文献２】実開昭６１−２０２２３９号公報
【特許文献３】特開２００３−２４５１３１号公報
【特許文献４】国際公開第２００３／０２６４５７号公報
【特許文献５】米国特許出願公開第２０１８／０２２８２７７号明細書
【発明の概要】
【発明が解決しようとする課題】
【０００８】
洗髪後、湿潤状態の毛髪に対しヘアブラシを用いてブラッシングを行う際、毛髪どうしの絡まりを容易に解すと共に、ブラッシングによる毛髪へのダメージを低減することが望まれている。湿潤状態の毛髪は、ヘアブラシの突起に引っ掛かり易く、過度に力を加えてブラッシングされることがあり、ダメージを受け易い。特許文献１〜５に記載のヘアブラシは、ブラッシング時の毛髪へのダメージを考慮したものではない。
【０００９】
したがって、本発明の目的は、従来技術が有する種々の課題を解決し得るヘアブラシを提供することにある。
【課題を解決するための手段】
【００１０】
本発明は、棒状突起が立設されたブラシ面を有するヘッド部と柄とを有するヘアブラシであって、前記ブラシ面は、長手方向及び該長手方向と直交する幅方向を有しており、前記ブラシ面の前記幅方向の中央部に、第１突起が、相互間に間隔を設けて１本ずつ独立した状態に設けられた第１突起領域を有し、前記幅方向における第１突起領域を挟む両側それぞれに、第１突起に比して断面積が大きく長さが短い第２突起が、前記長手方向に沿って複数形成された第２突起列を有する、ヘアブラシを提供するものである。
【発明の効果】
【００１１】
本発明のヘアブラシは、湿潤状態の毛髪に対するブラッシング時のダメージを低減することができる。
【図面の簡単な説明】
【００１２】
【図１】図１は、本発明の一実施形態に係るヘアブラシの斜視図である。
【図２】図２は、図１に示すヘアブラシのブラシ面を示す斜視図である。
【図３】図３は、図１に示すヘアブラシにおける突起が立設された領域を模式的に示す平面図である。
【図４】図４は、図２のＩＩ-ＩＩ線断面図（ブラシ面の幅方向に沿う断面図）である。
【図５】図５は、突起の曲げ剛性の測定方法を説明する模式図である。
【図６】図６は、図３に示す第１突起の配列を模式的に示す平面図である。
【図７】図７（ａ）〜（ｃ）は、本発明に係る第１突起の立設態様を説明する断面図である。
【図８】図８（ａ）及び（ｂ）は、本発明に係る第２突起の立設態様を説明する、ブラシ面の長手方向に沿う断面図である。
【図９】図９は、本発明の別の実施形態に係るヘアブラシの図４相当図である。
【図１０】図１０は、本発明のさらに別の実施形態に係るヘアブラシの図４相当図である。
【図１１】図１１は、本発明のさらに別の実施形態に係るヘアブラシの図４相当図である。
【発明を実施するための形態】
【００１３】
以下、本発明をその好ましい実施形態に基づき図面を参照しながら説明する。図１には、本発明に係るヘアブラシの一実施形態が示されている。本実施形態のヘアブラシ１０は、人の頭髪をブラッシングに用いられるヘアブラシであり、図１及び図２に示すように、柄１２ｃと、ブラシ面１３を有するヘッド部１２とを備えている。ヘッド部１２のブラシ面１３には、図２に示すように、複数の棒状の突起１５〜１７が立設されている。立設とは、立った状態に設けることをいう。ブラシ面１３は、本実施形態においてブラシ面１３は、後述するヘッド部１２の装着開口１２ｂを閉塞するように、該ヘッド部１２にブラシ基部１３ａが嵌め込まれた状態において、該ブラシ基部１３ａの装着開口１２ｂから露出した部分である。
【００１４】
ヘアブラシ１０は、毛髪の手入れを行う際に、柄１２ｃを手で把持し、ヘアブラシ１０を毛髪の根元側から毛先側に向かって移動させながら、ブラシ面１３に立設された複数の突起１５〜１７で毛髪をブラッシングする。
【００１５】
ヘアブラシ１０におけるブラシ面１３は、長手方向Ｘ及び該長手方向Ｘに直交する幅方向Ｙを有している。ブラシ面１３の長手方向Ｘは、柄１２ｃの長手方向に対応する方向であり、ブラシ面１３の幅方向Ｙは、ブラシ面の長手方向Ｘと直交する方向である。
ブラシ面１３は、ブラシ面１３の長手方向Ｘの長さが幅方向Ｙの長さ以上であり、通常、図２に示すように、長手方向Ｘの長さが幅方向Ｙの長さより長いことが好ましい。
【００１６】
ヘアブラシ１０は、ブラシ面１３の幅方向Ｙの中央部に、第１突起が、相互間に間隔を設けて１本ずつ独立した状態に設けられた第１突起領域Ａを有している。本実施形態のヘアブラシ１０は、第１突起として、断面積が相互に異なる２種類の第１突起１５，１７を有している。これら第１突起１５，１７は、長さが同じである。以下、本実施形態における第１突起のうち、断面積が小さい方の突起を第１小突起１５ともいい、断面積が大きい方の突起を第１大突起１７ともいう。複数の第１突起１５，１７は、図３に示すように、相互間に間隔を空けて１本ずつ独立した状態に設けられている。より具体的には、複数の第１突起１５，１７は散在しており、長手方向Ｘ及び幅方向Ｙに間隔を空けて配されている。本実施形態のヘアブラシ１０においては、ブラシ面１３に設けられた植毛穴１８に、１本の突起が設けられている。
【００１７】
第１突起領域Ａは、前述の第１突起１５，１７が相互間に間隔を空けて設けられた領域である。本実施形態における第１突起領域Ａは、複数の第１突起１５，１７が長手方向Ｘ及び幅方向Ｙそれぞれに間隔を空けて設けられている。第１突起領域Ａには、複数の第１小突起が長手方向Ｘに直列した第１小突起列Ｊ１が幅方向Ｙに複数列形成されている。複数の第１小突起列Ｊ１は、該第１小突起列Ｊ１中の第１小突起１５の配置が１列置きに同位置になるように、長手方向Ｘにずれて配置されている。複数の第１小突起列Ｊ１は、該第１小突起列Ｊ１中の第１小突起１５の配置が３列置きに同位置になるように、長手方向Ｘにずれて配置されていてもよい。また、第１突起領域Ａには、その幅方向Ｙの両側それぞれにおいて、第１小突起列Ｊ１よりも幅方向Ｙの外側に、第１大突起列Ｊ５が１列ずつ形成されている。
【００１８】
ヘアブラシ１０は、図３に示すように、ブラシ面１３の幅方向Ｙにおける第１突起領域Ａを挟む両側それぞれに、第１突起１５，１７に比して断面積が大きく長さが短い第２突起１６が、長手方向Ｘに沿って複数形成された第２突起列Ｊ３を有している。
【００１９】
第２突起１６は、第１突起１５，１７よりも断面積が大きい。本明細書において突起の断面積は、突起の突出方向に直交する断面の面積を意味する。本実施形態においては、ブラシ面と平行な平面方向の断面の面積である。突起の突出方向は、ヘアブラシの厚み方向Ｚに対応する方向である。突起の突出方向において突起の断面積が変化している場合、該断面積の最大値が、「突起の断面積」となる。また、本実施形態のように、第１突起１５，１７がその先端に球状体１５ａを有している場合、突起の断面積は、球状体１５ａを除く棒状の部分の断面積とする。
球状体１５ａを設ける場合、頭皮への感触をより向上させる観点から、球状体１５ａは、その最大径部分の断面積が、突起の断面積の１１０％以上４００％以下が好ましく、より好ましくは１２０％以上２５０％以下である。
【００２０】
第２突起１６は、第１突起１５，１７よりも長さが短い。本明細書において突起１５，１６，１７の長さＬ３，Ｌ５，Ｌ７は、突起の突出高さであり、突起のブラシ面１３から先端までの長さである（図４参照）。
【００２１】
ヘアブラシ１０は、ドライヤー等を用いて乾燥させた毛髪や、タオルドライ後における湿潤状態の毛髪のブラッシングに用いられる。湿潤状態の毛髪どうしは、毛髪の流れが整っていない状態で集まり易く、この状態でブラッシングすると、該毛髪が絡まってヘアブラシの突起に引っ掛かり易い。
このような湿潤状態の毛髪に対し、ヘアブラシ１０は、ブラッシング時において該毛髪に過度の力が加わり難く、ブラッシング時の毛髪へのダメージを低減するので、毛髪を円滑にブラッシングすることができる。具体的には、幅方向Ｙにおいて第２突起列Ｊ３に挟まれた第１突起領域Ａを有していることにより、第１突起１５，１７よりも剛性が高い第２突起１６によって毛髪どうしの絡まりが効果的に解かれる一方、第２突起１６は、第１突起１５，１７よりも長さが短いため、該第２突起１６と毛髪とが接触することによる抵抗を低減することができる。第２突起１６は、ブラシ面１３の幅方向Ｙの外方において長手方向Ｘに沿って複数形成されているので、ブラッシングの際に、第１突起１５，１７よりも先に毛髪どうしの絡まりと当接する。この第２突起１６によって、毛髪の絡まりは容易に解かれ、スムーズに毛髪を梳くことができる。しかも、毛髪と最も広く接触する第１突起領域Ａでは、第１突起１５，１７の断面積が第２突起よりも小さく、剛性が低いため、毛髪に加わる荷重を低減することができる。このようにしてヘアブラシ１０は、湿潤状態の毛髪に対するブラッシング時のダメージを低減することができるので、該ヘアブラシ１０は、特に、細くてウェーブ状の毛髪を有する傾向のあるコーカソイドの毛髪のブラッシングに有効である。
【００２２】
一方、第１突起領域Ａを有していないヘアブラシでは、湿潤状態の毛髪に過度の荷重を加え、大きなダメージを与えてしまうことがある。また、第２突起列Ｊ３を有していないヘアブラシでは、湿潤状態の毛髪をスムーズに解すことが困難である。
【００２３】
各突起の剛性は、曲げ剛性で表すことができる。ブラッシング時に突起と毛髪が接触することによる抵抗力をより低減する観点から、第２突起１６の曲げ剛性は、第１突起１５，１７よりも高いことが好ましい。
上記の効果をより確実に奏させる観点から、第２突起１６の曲げ剛性は、第１突起１５，１７の曲げ剛性に対して好ましくは２００％以上、より好ましくは２５０％以上であり、また好ましくは４５０％以下、より好ましくは３５０％以下であり、また好ましくは２００％以上４５０％以下、より好ましくは２５０％以上３５０％以下である。本実施形態のヘアブラシのように、曲げ剛性の異なる第１突起を複数種類有する場合、曲げ剛性が最も大きい第１突起の該曲げ剛性に対して、第２突起１６の曲げ剛性が前記の範囲であることが好ましい。
第２突起１６の曲げ剛性は、好ましくは０．１Ｎ以上、より好ましくは０．１２Ｎ以上であり、また好ましくは０．３Ｎ以下、より好ましくは０．２５Ｎ以下であり、また好ましくは０．１Ｎ以上０．３Ｎ以下、より好ましくは０．１２Ｎ以上０．２５Ｎ以下である。
ブラッシング時の前記抵抗力をより低減すると共に、ブラッシング性能を向上させる観点から、第１大突起１７の曲げ剛性は、第１小突起１５の曲げ剛性に対して好ましくは１３０％以上、より好ましくは１５０％以上であり、また好ましくは２３０％以下、より好ましくは２００％以下であり、また好ましくは１３０％以上２３０％以下、より好ましくは１５０％以上２００％以下である。
突起の曲げ剛性（Ｎ）は、フォースゲージ（日本電産シンポ社製）用い、下記の方法で測定することができる。
【００２４】
〔曲げ剛性の測定方法〕
フォースゲージ（日本電産シンポ社製、品番ＦＧＰ−５）を用いて、１本の突起Ｐｒの先端に６ｍｍφの端子を当接させ、測定環境２０℃、６５％ＲＨ、速度３０ｍｍ／ｍｉｎで、突起Ｐｒがその突出方向に対して曲がるように、荷重を水平方向に負荷させて、該突起Ｐｒを撓ませる（図５参照）。この際、突起Ｐｒの先端の移動距離が水平方向に１０ｍｍとなるまで、突起Ｐｒに荷重を負荷したときの最大強度を測定する。前記最大強度は３本の突起Ｐｒについて測定し、その平均値を曲げ剛性とする。
【００２５】
毛髪の流れを整えるブラッシング性能を確保すると共に、第１突起１５，１７の剛性をより低くする観点から、第１突起１５，１７の断面積は、好ましくは０．１ｍｍ２以上、より好ましくは０．１２ｍｍ２以上、さらに好ましくは０．１５ｍｍ２以上であり、また好ましくは０．３ｍｍ２以下、より好ましくは０．２８ｍｍ２以下、さらに好ましくは０．２７ｍｍ２以下であり、また好ましくは０．１ｍｍ２以上０．３ｍｍ２以下、より好ましくは０．１２ｍｍ２以上０．２８ｍｍ２以下、さらに好ましくは０．１５ｍｍ２以上０．２７ｍｍ２以下である。突起の突出方向において第１突起１５，１７の断面積が変化している場合、該断面積が上記範囲内であることが好ましい。
【００２６】
第２突起１６によるブラッシング性能を向上させる観点から、第２突起１６の断面積は、第１突起１５，１７の断面積に対して好ましくは３００％以上、より好ましくは５００％以上であり、また好ましくは１０００％以下、より好ましくは９００％以下であり、また好ましくは３００％以上１０００％以下、より好ましくは５００％以上９００％以下である。上記と同様の観点から、第２突起１６は、断面積が０．３ｍｍ２超であることが好ましい。本実施形態のように、断面積の異なる第１突起が複数種類存在する場合、該第１突起のうち、最も断面積の小さい突起の断面積に対する、第２突起１６の断面積の割合（％）が、上述した範囲であることが好ましい。突起の突出方向において第２突起１６の断面積が変化している場合、その最大値を該突起の断面積とする。
【００２７】
第１大突起１７の断面積は、第１小突起よりも大きく、且つ第２突起よりも小さい。第１大突起１７によるブラッシング性能を向上させる観点から、第１大突起１７の断面積は、第１小突起１５の断面積に対して好ましくは１１０％以上、より好ましくは１３０％以上であり、また好ましくは１８０％以下、より好ましくは１５０％以下であり、また好ましくは１１０％以上１８０％以下、より好ましくは１３０％以上１８０％以下である。突起の突出方向において第１大突起１７の断面積が変化している場合、その最大値を該突起の断面積とする。
【００２８】
本実施形態において各突起１５，１６，１７それぞれは、ブラシ面１３に対し略垂直に立設している。斯かる構成により、ブラッシング時に毛髪に加えられる荷重をより低減することができる。
第２突起１６の剛性を高める観点から、第２突起１６の長さＬ５（図４参照）は、第１突起１５，１７の長さＬ３，Ｌ７（図４参照）の好ましくは４０％以上、より好ましくは５０％以上であり、また好ましくは８０％以下、より好ましくは７５％以下であり、また好ましくは４０％以上８０％以下、より好ましくは５０％以上７５％以下である。
また、ブラッシングを効率的に行う観点から、第２突起の長さＬ５を第１大突起１７の長さＬ７より短くすることが好ましい。即ち、第１大突起１７の長さＬ７を第２突起の長さＬ５より長くすることが好ましい。斯かる構成により、毛髪に各突起を挿入して、ヘアブラシ１０で毛髪を梳くと、毛髪どうしの強い絡まりを第２突起で解くことができ、さらに第１小突起１５より剛性が高い第１大突起１７によって、該突起の先端側で、毛髪どうしの弱い絡まりを効率的に解くと共に、毛髪の流れを効果的に整えることができる。第１大突起１７の長さＬ７（図４参照）は、第１小突起１５の長さＬ３（図４参照）の好ましくは８５％以上、より好ましくは９５％以上であり、また好ましくは１００％以下、より好ましくは１００％以下であり、また好ましくは８５％以上１００％以下、より好ましくは９５％以上１００％以下である。
【００２９】
ブラッシング時に突起と毛髪が接触することによる抵抗力をより低減すると共に、ブラッシング性能を向上させる観点から、第１小突起１５の長さＬ３（図４参照）は、好ましくは１４ｍｍ以上、より好ましくは１６ｍｍ以上、さらに好ましくは１８ｍｍ以上であり、また好ましくは２２ｍｍ以下、より好ましくは２１ｍｍ以下、さらに好ましくは２０ｍｍ以下であり、また好ましくは１４ｍｍ以上２２ｍｍ以下、より好ましくは１６ｍｍ以上２１ｍｍ以下、さらに好ましくは１８ｍｍ以上２０ｍｍ以下である。
【００３０】
本実施形態のヘアブラシ１０は、ヘッド基部１２ａと柄１２ｃとが一体成形された基台本体１１、及び該ヘッド基部１２ａに固定されるブラシ基部１３ａを備えている。基台本体１１は、ヘッド基部１２ａの長手方向Ｘの一端側に柄１２ｃが延設されており、該ヘッド基部１２ａと柄１２ｃとが連続している。ヘッド部１２は、図４に示すように、ブラシ面１３を有するブラシ基部１３ａと、矩形形状の装着開口１２ｂを有するヘッド基部１２ａとを含んで構成されている。ヘッド基部１２ａの片方の面には、装着開口１２ｂが形成されており、該装着開口１２ｂを閉塞するようにブラシ基部１３ａが嵌め込まれ固定されている。
【００３１】
基台本体１１やブラシ基部１３ａは、合成樹脂からなるプラスチック製の成形品である。前記合成樹脂としては、ポリブチレンテレフタレート、ポリエチレンテレフタレート等のポリエステル樹脂、ＡＢＳ（アクリロニトリル・ブタジエン・スチレン共重合体）樹脂、ＰＢＴ（ポリブチレンテレフタレート）樹脂、ＰＰ（ポリプロピレン）樹脂、ＰＥ（ポリエチレン）樹脂、ＰＥＴ（ポリエチレンテレフタレート）樹脂、ＰＣＴＡ（ポリシクロヘキサンジメチレンテレフタレート）樹脂、ＰＯＭ（ポリアセタール）樹脂、アクリル樹脂、ＡＳ（アクリル二トリルスチレン共重合体）樹脂、ＰＳ（ポリスチレン）樹脂、熱可塑性エラストマー樹脂等が挙げられる。熱可塑性エラストマー樹脂としては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。これらのエラストマーは一種を単独で又は２種以上を組み合わせて用いることもできる。
【００３２】
突起１５，１６，１７は、合成樹脂製であることが好ましい。突起を形成する合成樹脂としては、例えば、上述した基台本体１１やブラシ基部１３ａの形成材料として用いられる各種の合成樹脂や、ナイロン、ナイロン６等のポリアミド樹脂等が挙げられる。剛性を低くして、ブラッシング時の毛髪に加わる荷重をより低減する観点から、第１突起１５，１７の形成材料はナイロンであることが好ましい。また、第２突起１６の剛性を高める観点から、第２突起１６の形成材料は、上述した熱可塑性エラストマー樹脂や直鎖状低密度ポリエチレン樹脂であることが好ましい。
【００３３】
第２突起の形成材料として用いられる熱可塑性エラストマー樹脂は、そのショアＤ硬度〔株式会社テクロック製のゴム硬度計（ＧＳ７０９Ｎ  形式Ｄ）〕が、好ましくは４０以上、より好ましくは５０以上であり、また好ましくは６５以下、また好ましくは４０以上６５以下、より好ましくは５０以上６５以下である。このような硬さを有することで、第２突起によって毛髪どうしの絡まりをより容易に解くと共に、毛髪の引っ掛かりをより抑制することができる。
【００３４】
ショアＤ硬度の測定方法は以下のとおりである。
〔ショアＤ硬度の測定方法〕
平らな面に置いた試料の平面に、両手で保持したゴム硬度計の加圧面を真上から一定速度で垂直に押し付け、密着後、１秒以内の値を「硬さ」とする。試料の測定位置は試料の端から１２ｍｍ以上内側、測定箇所の間隔は６ｍｍ以上とする。測定に使用する試料は、長さ及び幅をそれぞれ２５ｍｍ以上、厚みを６ｍｍ以上の板状とし、試験環境は温度２３±２度、湿度５０±５％とする。５ヶ所の中央値あるいは平均値を測定値に採用し、ゴム硬度計（テクロック社製ＧＳ７０９Ｎ  形式Ｄ）で５０を示した場合、ショアＤ硬度は５０（「Ｄ５０」）である。
【００３５】
本実施形態の第１突起領域Ａにおいて第１突起１５，１７は、個々の植毛穴１８に対して１本ずつのみ立設された植毛突起である。斯かる構成により、ブラッシング時に毛髪が突起間に引っ掛かることをより抑制する。
ブラシ基部１３ａのブラシ面１３には、第１突起１５，１７が立設される植毛穴１８が長手方向Ｘ及び幅方向Ｙに分散した状態に複数形成されており、該植毛穴１８から突起１５が突出している。ブラシ面１３に形成される植毛穴１８は、図７（ａ）に示すように、有底の凹陥部であってもよく、図７（ｂ）及び（ｃ）に示すようにブラシ基部１３ａをその厚み方向に貫通する貫通孔であってもよい。植毛穴１８が前記凹陥部である場合、図７（ａ）に示すように、該凹陥部に棒状体を平線１９で２つ折りにして形成された突起が立設されていてもよい。この場合、毛髪の引っ掛かりをより抑制する観点から、突起は、平線を用いて、折り部の片側のみが植毛穴１８から突出するように固定された棒状体から形成されていることが好ましい。平線１９としては、真鍮等の金属で形成されたものが挙げられる。また、植毛穴１８が前記貫通孔である場合、該貫通孔に棒状体を挿入することにより、突起が立設されていてもよい。この場合、突起は、図７（ｂ）に示すように、該突起のブラシ面１３とは反対側の端部に形成された留め部２１によって固定されていてもよく、図７（ｃ）に示すように、突起のブラシ面１３とは反対側の端部が固定部２３によって固定されていてもよい。留め部２１及び固定部２３としては、突起の形成材料と同じ材料からなるものを用いることが好ましい。
【００３６】
第２突起１６は、第１突起１５，１７と同様に、ブラシ面に形成された個々の植毛穴に対して１本ずつのみ立設された植毛突起であってもよく、ブラシ面１３又は該ブラシ面１３の下に配された連続部と一体に成形された成形突起であってもよい。ブラシ面１３の下に配された連続部２５は、図８（ａ）に示すように、複数の突起における一方の端部どうしを連結するものであり、貫通孔２４を有するブラシ基部１３ａの下に設けられる。この貫通孔２４は個々の成形突起に対応する。連続部２５と一体に成形された突起は、図８（ｂ）に示すように、ブラシ基部１３ａに設けられた貫通孔に挿入されることで設けられる。毛髪どうしの絡まりを効果的に解して、ブラッシング性能を向上させる観点から、第２突起１６は、前記成形突起であることが好ましい。
【００３７】
ブラッシング時に毛髪にかかる荷重をより低減させる観点から、第２突起１６が成形突起である場合、第２突起１６と、第２突起１６と一体に成形されているブラシ面１３又は連続部２５とが、軟質樹脂から形成されていることが好ましい。
軟質樹脂としては、例えば、オレフィン系エラストマー樹脂、スチレン系エラストマー樹脂、ポリエステル系エラストマー樹脂、ウレタン系エラストマー樹脂、アクリル系エラストマー樹脂、低密度ポリエチレン樹脂等が挙げられる。
【００３８】
ブラッシング時に生じ得る静電気の発生を抑制する観点から、第２突起１６及び柄１２ｃが、導電性樹脂で形成されており、第２突起１６と該柄１２ｃとの間が電気的に接続されていることが好ましい。斯かる構成により、使用状態では柄１２ｃと使用者とが接触した状態となり、電気的に接続するため、静電気の発生を効果的に抑制することができる。第２突起１６と該柄１２ｃとの間が電気的に接続された形態としては、第２突起１６が立設されたブラシ基部１３ａと、基台本体１１とが同じ導電性樹脂によって成形されており、ヘアブラシ１０がブラシ基部１３ａと基台本体１１とが接触した状態で形成されていることが挙げられる。このような形態にする観点からも、第２突起１６は前記成形突起であることが好ましい。ブラッシング時に生じ得る静電気の発生を抑制する観点から、導電性樹脂として、カーボン繊維、ステンレス繊維、及び帯電防止剤から選ばれる１種以上を練り込みした、アクリロニトリル・ブタジエン:スチレン 共重合合成樹脂、ポリオレフィン、ナイロン６、ポリカーボネート樹脂等を用いることができる。
【００３９】
ブラッシング時の毛髪の引っ掛かりをより抑制すると共に、ブラッシングをより容易に行う観点から、第１突起領域Ａの幅方向Ｙの長さＷ１を２等分する二等分線は、ブラシ面１３の幅方向Ｙの全長Ｗを二等分する二等分線ＣＬと一致していることが好ましい。
また、ブラッシング時に毛髪に加えられる荷重をより低減する観点から、第１突起領域Ａは、ブラシ面１３の幅方向Ｙの全長Ｗを二等分する二等分線ＣＬから両側それぞれに好ましくは２０ｍｍ以下、より好ましくは１５ｍｍ以下の範囲に亘って配されていることが好ましい。
【００４０】
本実施形態のヘアブラシ１０は、図３に示すように、ブラシ面１３の幅方向Ｙの中央領域Ｍと、該中央領域Ｍを挟む一対のサイド領域Ｓ，Ｓとで、断面積が相互に異なる突起を有している。具体的には、中央領域Ｍは第１突起領域Ａとなっており、複数の第１突起１５が長手方向Ｘ及び幅方向Ｙそれぞれに配列されている。サイド領域Ｓ，Ｓには、第２突起列Ｊ３と、第１大突起１７が長手方向Ｘに沿って配列した第１大突起列Ｊ５がそれぞれ配されている。このように、サイド領域Ｓ，Ｓにおいて、第２突起１６はそれぞれ、長手方向Ｘに沿って複数形成されて、列を形成している。第１大突起列Ｊ５は、第１小突起列Ｊ１と第２突起列Ｊ３との間に配されている。
【００４１】
本実施形態のように、ブラシ面１３における中央領域Ｍを挟む両側それぞれに、第１突起１５，１７より断面積が大きく、長さが該第１突起１５，１７よりも短い突起１６を有する太突起領域Ｂを有していることが好ましい。太突起領域Ｂは、第１突起領域Ａの幅方向Ｙ外方に位置する領域であって、幅方向Ｙの最も外方側に位置する第１突起１５，１７の中心どうしを結んで形成される辺と、第１突起以外の突起の中心どうしを結んで形成される辺とから構成された領域である。第１突起以外の突起は、例えば、長手方向Ｘ又は幅方向Ｙの最も外方に位置する第２突起１６等である。第１突起１５，１７より剛性が高い第２突起１６をサイド領域Ｓ，Ｓに設けることで、ブラッシング時に毛髪どうしの絡まりをより容易に解くことができる。
【００４２】
第１突起領域Ａには、１０ｍｍ四方当たり、好ましくは５本以上１０本以下、より好ましくは６本以上９本以下の存在密度で第１突起１５，１７が設けられていることが好ましい。第１突起領域Ａの第１突起１５，１７の存在密度は以下の方法により求められる。
先ず、ブラシ面１３の複数の第１突起１５，１７が形成された領域において、長手方向Ｘ及び幅方向Ｙの最も外方側に位置する第１突起１５，１７の中心どうしを結んで形成される領域Ａを設定する。この領域Ａが第１突起領域である。次いで、１０ｍｍ四方の正方形領域ａを、その頂点の１つが、第１突起領域Ａ内の任意の第１突起と対応するように設定する。この正方形領域ａ内に含まれる第１突起１５，１７の本数をカウントする。ただし、平面視における前記正方形領域ａの外縁と第１突起１５，１７とが重なっている場合、該正方形領域ａの外縁と重なる第１突起１５，１７は、正方形領域ａ内に含まれる第１突起１５，１７としてカウントしない。この測定を第１突起領域Ａ内の任意の３箇所で行い、これらの平均値を第１突起１５，１７の存在密度とする。
【００４３】
本実施形態のブラシ面１３において、第１突起領域Ａが平面方向に１００ｍｍ２以上連続している。ブラッシング時に毛髪に加えられる荷重をより低減する観点から、ブラシ面１３における第１突起領域Ａの面積は、仮領域Ｆの面積に対して好ましくは２０％以上、より好ましくは３５％以上であり、また好ましくは８０％以下、より好ましくは７０％以下であり、また好ましくは２０％以上８０％以下、より好ましくは３５％以上７０％以下である。「仮領域Ｆ」は、ブラシ面１３において、長手方向Ｘ及び幅方向Ｙの最も外方側に位置する突起の中心どうしを結んで形成される領域である。ここで、仮領域Ｆの外縁を形成する突起は、第１突起１５，１７に限られない。
上記と同様の観点から、ブラシ面１３における第１突起領域Ａの面積は、好ましくは１０００ｍｍ２以上、より好ましくは１３００ｍｍ２以上であり、さらに好ましくは１５００ｍｍ２以上であり、また好ましくは３５００ｍｍ２以下、より好ましくは３０００ｍｍ２以下、さらに好ましくは２５００ｍｍ２以下であり、また好ましくは１０００ｍｍ２以上３５００ｍｍ２以下、より好ましくは１３００ｍｍ２以上３０００ｍｍ２以下、さらに好ましくは１５００ｍｍ２以上２５００ｍｍ２以下である。
【００４４】
ブラッシング時、第１突起領域Ａにおいて毛髪をより通し易くする観点から、第１突起領域Ａにおける第１突起１５，１７の総断面積の割合は、好ましくは０．８％以上、より好ましくは１％以上であり、また好ましくは３％以下、より好ましくは２．５％以下であり、また好ましくは０．８％以上３％以下、より好ましくは１％以上２．５％以下である。第１突起領域Ａにおける第１突起１５，１７の総断面積は以下の方法により求められる。
【００４５】
第１突起領域Ａ内に、任意の１０ｍｍ四方の正方形領域ａを３箇所設定する。第１突起領域Ａは、前述したように、第１突起１５，１７が設けられている領域であって、長手方向Ｘ及び幅方向Ｙの最も外方側に位置する第１突起１５，１７の中心どうしを結んで形成される領域である。次いで、前記正方形領域ａ内に含まれる第１突起１５，１７の総断面積を求める。平面視における正方形領域ａの外縁と第１突起１５，１７とが重なっている場合、該第１突起１５，１７の断面積の１／２を、前記正方形領域ａ内に含まれる第１突起１５，１７の総断面積として含むこととする。突起の突出方向において第１突起１５，１７の断面積が変化している場合、その最大値を該第１突起１５，１７の断面積とする。そして、３箇所の正方形領域ａそれぞれについて、正方形領域ａの面積に対する第１突起１５，１７の総断面積の割合の平均値を求め、これを第１突起領域Ａにおける第１突起１５，１７の総断面積の割合とする。
【００４６】
本実施形態において第１突起領域Ａは、図３に示すように、幅方向Ｙの中央領域Ｍに長手方向Ｘに延びて形成されている。斯かる構成により、ブラッシング時の毛髪の引っ掛かりをより抑制することができる。
上記の効果をより向上させる観点から、第１突起領域Ａは、長手方向Ｘの長さＬ１（図３参照）が、ブラシ面１３の長手方向Ｘの全長Ｌ（図２参照）に対して好ましくは７０以上、より好ましくは８０％以上であり、また好ましくは９５％以下、より好ましくは９３％以下であり、また好ましくは７０％以上９５％以下、より好ましくは８０％以上９３％以下である。第１突起領域Ａの長手方向Ｘの長さＬ１は、第１突起１５，１７が設けられている領域であって、長手方向Ｘ及び幅方向Ｙの最も外方側に位置する第１突起１５，１７の中心どうしを結んで形成される領域の長手方向Ｘの長さである。
【００４７】
ブラッシング時の毛髪の引っ掛かりをより抑制する観点から、第１突起領域Ａは、幅方向Ｙの長さＷ１（図３参照）が、ブラシ面１３の幅方向Ｙの全長Ｗ（図２参照）に対して好ましくは２０％以上、より好ましくは３０％以上であり、また好ましくは８５％以下、より好ましくは７５％以下であり、また好ましくは２０％以上８５％以下、より好ましくは３０％以上７５％以下である。第１突起領域Ａの幅方向Ｙの長さＷ１は、前述の第１突起１５，１７が設けられている領域であって、長手方向Ｘ及び幅方向Ｙの最も外方側に位置する第１突起１５，１７の中心どうしを結んで形成される領域の幅方向Ｙの長さである。
【００４８】
ブラッシング時に毛髪に加わる荷重をより低減する観点から、第１突起領域Ａは、第１突起１５，１７が１０ｍｍ四方当たり５本以上１０本以下の存在密度で設けられた細突起領域Ａ１を有していることが好ましい。本実施形態のヘアブラシ１０は、細突起領域Ａ１が平面方向に１００ｍｍ２以上連続している。このように、細突起領域Ａ１は、平面方向に連続していてもよく、複数の細突起領域Ａ１がブラシ面１３上の複数個所に存在していてもよい。
上記と同様の観点から、ブラシ面１３における細突起領域Ａ１の面積は、第１突起領域Ａの面積に対して好ましくは２０％以上、より好ましくは３０％以上、さらに好ましくは３５％以上であり、また好ましくは１００％以下、より好ましくは９０％以下、さらに好ましくは８０％以下であり、また好ましくは２０％以上１００％以下、より好ましくは３０％以上９０％以下、さらに好ましくは３５％以上８０％以下である。細突起領域Ａ１の面積が、第１突起領域Ａの面積に対して１００％とは、第１突起領域Ａの全域に細突起領域Ａ１が形成されていることを意味する。
【００４９】
上記と同様の観点から、ブラシ面１３における細突起領域Ａ１の面積は、好ましくは１０００ｍｍ２以上、より好ましくは１３００ｍｍ２以上、さらに好ましくは１５００ｍｍ２以上であり、また好ましくは３５００ｍｍ２以下、より好ましくは３０００ｍｍ２以下、さらに好ましくは２５００ｍｍ２以下であり、また好ましくは１０００ｍｍ２以上３５００ｍｍ２以下、より好ましくは１３００ｍｍ２以上３０００ｍｍ２以下、さらに好ましくは１５００ｍｍ２以上２５００ｍｍ２以下である。
【００５０】
上述した細突起領域は以下の方法により特定する。
〔細突起領域の特定方法〕
第１突起領域Ａとして、ブラシ面１３の複数の第１突起が形成された領域において、長手方向Ｘ及び幅方向Ｙの最も外方側に位置する第１突起の中心どうしを結んで形成される領域Ａを設定する。次いで、１０ｍｍ四方の正方形領域ａを、その頂点の１つが、第１突起領域Ａ内の個々の第１突起と対応するように設定する。この正方形領域ａ内に含まれる第１突起１５，１７の本数が５本以上１０本以下である場合、該正方形領域ａを細突起領域Ａ１又は細突起領域Ａ１の一部と判定する。平面視における前記正方形領域ａの外縁と第１突起１５，１７とが重なっている場合、該正方形領域ａの外縁と重なる第１突起１５，１７は、正方形領域ａ内に含まれる第１突起１５，１７としてカウントしない。前記正方形領域ａに、第１突起１５，１７より断面積が大きい突起が含まれている場合、該正方形領域ａは細突起領域Ａ１ではないと判定する。このような判定を、正方形領域ａの１つの頂点を、長手方向Ｘ又は幅方向Ｙに隣り合う第１突起に順次ずらしながら行う。具体的には、正方形領域ａにおける４つの頂点のうち、何れか１つの頂点を選択し、その選択した頂点を第１突起領域Ａにおける全ての第１突起に合わせて、前記の判定を行う。第１突起１５，１７の本数が５本以上１０本以下である正方形領域ａが、長手方向Ｘ及び幅方向の少なくとも一方に連続して存在する場合、その連続した領域全域が細突起領域となる。
【００５１】
本実施形態において細突起領域Ａ１は、ブラシ面１３の幅方向Ｙの中央域に、より詳細には、第１突起領域Ａの幅方向Ｙの中央域に形成されている。斯かる構成により、ブラッシング時の毛髪の引っ掛かりをより抑制することができる。本実施形態における細突起領域Ａ１は、第１突起領域Ａの全域に形成されている。
上記の効果をより向上させる観点から、細突起領域Ａ１は、長手方向Ｘの長さが、ブラシ面１３の長手方向Ｘの全長Ｌに対して好ましくは７０％以上、より好ましくは８０％以上であり、また好ましくは９５％以下、より好ましくは９３％以下であり、また好ましくは７０％以上９５％以下、より好ましくは８０％以上９３％以下である。細突起領域Ａ１の長手方向Ｘの長さは、前述した〔細突起領域の特定方法〕によって特定された細突起領域Ａ１の長手方向Ｘにおける前端と後端との間の長さである。長手方向Ｘにおける前端とは、同方向Ｘの柄１２ｃとは反対側の端部であり、長手方向Ｘにおける後端とは、同方向Ｘの柄１２ｃ側の端部である。
【００５２】
ブラッシング時の毛髪の引っ掛かりをより抑制する観点から、細突起領域Ａ１は、幅方向Ｙの長さが、ブラシ面１３の幅方向Ｙの全長Ｗ（図２参照）に対して好ましくは２０％以上、より好ましくは３０％以上であり、また好ましくは８５％以下、より好ましくは７５％以下であり、また好ましくは２０％以上８５％以下、より好ましくは３０％以上７５％以下である。細突起領域Ａ１の幅方向Ｙの長さは、前述した〔細突起領域の特定方法〕によって特定された細突起領域Ａ１の幅方向Ｙの一端と他端との間の長さである。
【００５３】
本実施形態において第１小突起１５は、図３に示すように、複数の第１小突起１５が一定の間隔で長手方向Ｘに沿って直列した第１小突起列Ｊ１と、複数の第１小突起１５が一定の間隔で幅方向Ｙに沿って直列した幅方向第１小突起列Ｊ２とを形成するように配置されている。幅方向Ｙにおいて隣り合う第１小突起列Ｊ１どうしは、第１小突起１５の配置位置が、長手方向Ｘに半ピッチ分ずれており、長手方向Ｘにおいて隣り合う幅方向第１小突起列Ｊ２どうしは、第１小突起１５の配置位置が、幅方向Ｙに半ピッチ分ずれている。このように、第１突起領域Ａにおいて第１小突起１５は、千鳥状に配置されていることが好ましい。第１小突起１５が千鳥状に配置されている別の態様として、幅方向Ｙにおいて隣り合う第１小突起列Ｊ１どうしは、第１小突起１５の配置位置が、長手方向Ｘに１／３ピッチ分ずれており、長手方向Ｘにおいて隣り合う幅方向第１小突起列Ｊ２どうしは、第１小突起１５の配置位置が、幅方向Ｙに１／３ピッチ分ずれていてもよい。
また、第１大突起列Ｊ５は、幅方向Ｙにおいて隣り合う第１小突起列Ｊ１に対し、第１大突起１７の配置位置が、長手方向Ｘに半ピッチ分ずれている。このように、第１突起領域Ａにおいて第１突起は、第１大突起１７も含めて千鳥状に配置されていることが好ましい。
【００５４】
ブラッシング時に毛髪に加えられる荷重をより低減する観点から、第１突起領域Ａにおける第１突起列Ｊ１，Ｊ５の総列数は特に制限されないが、好ましくは４本以上１０本以下、より好ましくは６本以上８本以下である。
【００５５】
ブラッシングを効果的に行う観点から、第１小突起列Ｊ１の配置ピッチＰ１（図６参照）は、好ましくは２ｍｍ以上、より好ましくは２．５ｍｍ以上であり、また好ましくは５ｍｍ以下、より好ましくは４ｍｍ以下であり、また好ましくは２ｍｍ以上５ｍｍ以下、より好ましくは２．５ｍｍ以上４ｍｍ以下である。第１小突起列Ｊ１の配置ピッチＰ１は、幅方向Ｙに隣り合う第１小突起列Ｊ１間の離間距離であり、幅方向Ｙにおけるこれら第１小突起列Ｊ１を構成する第１小突起１５の中心間の最短距離である。
上記と同様の観点から、第１小突起列Ｊ１中の第１小突起１５の配置ピッチＰ３（図６参照）は、好ましくは３ｍｍ以上、より好ましくは４ｍｍ以上であり、また好ましくは７ｍｍ以下、より好ましくは６．５ｍｍ以下であり、また好ましくは３ｍｍ以上７ｍｍ以下、より好ましくは４ｍｍ以上６．５ｍｍ以下である。第１小突起列Ｊ１中の第１小突起１５の配置ピッチＰ３は、第１小突起列Ｊ１中の長手方向Ｘに隣り合う第１小突起１５の中心間の距離である。第１小突起列Ｊ１と第１大突起列Ｊ５との離間距離は、第１小突起列Ｊ１の配置ピッチＰ１と同じであることが好ましい。また、ヘアブラシが第１大突起列Ｊ５を複数列有する場合、第１大突起列Ｊ５の配置ピッチ、即ち、幅方向Ｙに隣り合う第１大突起列Ｊ５間の離間距離は、第１小突起列Ｊ１の配置ピッチＰ１と同じであることが好ましい。第１大突起列Ｊ５中の第１大突起１７の配置ピッチは、第１小突起列Ｊ１中の第１小突起１５の配置ピッチＰ３と同じ範囲であることが好ましい。第１大突起列Ｊ５中の第１大突起１７の配置ピッチは、第１大突起列Ｊ５中の長手方向Ｘに隣り合う第１大突起１７の中心間の距離である。
なお、上述した第１小突起列Ｊ１の配置ピッチＰ１、及び第１小突起列Ｊ１中の第１小突起１５の配置ピッチＰ３は、ブラシ面１３を平面視したときの、第１小突起１５の先端の中心どうしの離間距離である。
【００５６】
本実施形態においては、第２突起１６が第１大突起１７よりも幅方向Ｙの外方側に配されている。したがって、第２突起列Ｊ３は、第１小突起列Ｊ１及び第１大突起列Ｊ５よりも幅方向Ｙの外方側に配されており、第１大突起列Ｊ５に隣接した幅方向Ｙの外方側に配されている。サイド領域Ｓにおいて、幅方向Ｙの最も外方側に配される突起１６の断面積が、第１突起領域Ａにおいて、幅方向Ｙの最も外方側に配される突起１７の断面積よりも大きいと、毛髪どうしの絡まりをより容易に解くと共に、毛髪の引っ掛かりをより抑制する点で好ましい。
【００５７】
本実施形態の各太突起領域Ｂは、２本の第２突起列Ｊ３を有している。第１突起１５，１７より断面積の大きい突起からなる突起列の本数は特に制限されないが、ブラッシング時の前記抵抗力を小さくすると共に、毛髪どうしの絡まりを容易に解く観点から、第１突起領域Ａを挟む第２突起列Ｊ３の列数は、好ましくは２本以上５本以下、より好ましくは２本以上４本以下である。
【００５８】
毛髪どうしの絡まりを容易に解く観点から、太突起領域Ｂは、長手方向Ｘに延びて形成されていることが好ましく、長手方向Ｘの長さが幅方向Ｙの長さに比して長いことがより好ましい。上記と同様の観点から、太突起領域Ｂの長手方向Ｘの長さＬ２（図３参照）は、ブラシ面１３の長手方向Ｘの全長Ｌ（図２参照）に対して好ましくは７０％以上、より好ましくは８０％以上であり、また好ましくは９５％以下、より好ましくは９３％以下であり、また好ましくは７０％以上９５％以下、より好ましくは８０％以上９３％以下である。
【００５９】
上記と同様の観点から、太突起領域Ｂは、長手方向Ｘに延びて形成されていることが好ましい。上記と同様の観点から、太突起領域Ｂの幅方向Ｙの長さＷ２（図３参照）は、ブラシ面１３の幅方向Ｙの全長Ｗ（図２参照）に対して好ましくは５％以上、より好ましくは１０％以上であり、また好ましくは３０％以下、より好ましくは２５％以下であり、また好ましくは５％以上３０％以下、より好ましくは１０％以上２５％以下である。
【００６０】
第１突起領域Ａには、図３に示すように、第１大突起１７が長手方向Ｘに沿って複数形成されている。より詳細には、第１突起領域Ａの幅方向Ｙの両側それぞれにおいて、即ち、第１小突起列Ｊ１が形成された領域よりも幅方向Ｙの外方に、複数の第１大突起１７が長手方向Ｘに直列した第１大突起列Ｊ５が形成されている。斯かる構成により、毛髪どうしの絡まりをより効果的に解くことができる。第１突起領域Ａにおいて、第１大突起列Ｊ５は、１列のみ形成されていてもよく、複数列形成されていてもよい。ブラッシング性能を向上させる観点から、第１突起領域Ａにおける、長手方向Ｘに沿って直列した第１大突起列Ｊ５の列数は、好ましくは１本以上３本以下である。
【００６１】
上述した各突起の形状は特に制限されず、先端に向けて先細りの形状であってもよく、突起の突出方向において断面積が同じ形状であってもよい。ブラッシング時に毛髪と突起とが接触することで生じる抵抗力をより低減する観点から、第１突起１５，１７は、突起の突出方向において断面積が同じ形状を有していることが好ましい。このような形状としては、例えば円柱、楕円柱状、角柱状等が挙げられる。
剛性をより高める観点から、第２突起１６は、先端に向けて先細りの形状であることが好ましい。このような形状としては、例えば円錐台状、角錐台状等が挙げられる。
【００６２】
上述した各突起はその先端に球状体を有していてもよく、有していなくともよい。本実施形態における第１突起１５，１７は、その先端に球状体１５ａ，１７ａを有している。突起の先端に球状体を有していると、頭皮への当たりが柔らかくなる。
【００６３】
基台本体１１のヘッド基部１２ａは、例えば長手方向Ｘの長さが７０〜１３０ｍｍ程度、幅方向Ｙの長さが３０〜９０ｍｍ程度の大きさの平面視矩形形状に形成されている。基台本体１１の柄１２ｃは、平面視において台形形状に形成されており、ヘッド基部１２ａから長手方向Ｘに離れていくにつれ漸次幅が拡大している。より具体的には、柄１２ｃは、長手方向Ｘの長さが７０〜１３０ｍｍ程度、幅方向Ｙの短辺が１５〜２５ｍｍ、幅方向Ｙの長辺が２０〜３５ｍｍ程度の大きさの台形形状に形成されている。
ブラシ基部１３ａは、ヘッド基部１２ａの装着開口１２ｂの開口形状に略一致する平面視矩形形状を有している。
【００６４】
ヘアブラシ１０の好ましい製造方法は、ヘッド基部１２ａを有する基台本体１１、ブラシ基部１３ａ、及び突起１５，１６，１７をそれぞれ射出成形等により形成する。ブラシ基部１３ａを成形する際、該ブラシ基部１３ａのブラシ面上に第２突起１６が一体成形されていてもよい。得られたブラシ基部１３ａのブラシ面１３には、切削加工等の公知の方法を用いて、突起１５を立設させる植毛穴１８を形成し、該植毛穴１８に突起を植設する。そして、ブラシ面１３に突起１５が立設されたブラシ基部１３ａを、ヘッド基部１２ａの装着開口１２ｂに嵌め込んで固定する。
【００６５】
植毛穴１８に突起を立設する方法としては、公知の方法を採用することができる。例えば、植毛穴に棒状体を平線で２つ折りにして打ち込む方法や、植毛穴としての貫通孔に棒状体を挿入して、該貫通孔から突出する棒状体の片端部を加熱し、該端部に留め部２１を形成して固定する方法、植毛穴としての貫通孔に棒状体を挿入して、該貫通孔から突出する突起の片端部を配した金型内に溶融樹脂を注入し、該溶融樹脂を固化して形成した固定部２３によって該棒状体を固定する方法等を用いることができる。「植毛穴に棒状体を平線で２つ折りにして打ち込む方法」では、毛髪が突起の根元付近に挟まることを抑制する観点から、棒状体を２つ折りにしたときの一方の折り曲げ部がブラシ面１３から突出していないことが好ましい。斯かる構成により、１個の植毛穴につき、１本の突起を設けることができる。
【００６６】
本発明は上述した各実施形態に限定されることなく種々の変更が可能である。
例えば、上述した実施形態におけるブラシ面１３は平坦であったが、図９に示すヘアブラシ１０ａのように、ブラシ面１３は、幅方向Ｙに沿う断面において、突起の突出方向に突出するように湾曲していてもよい。
また、上述した実施形態における第１突起１５，１７はその先端に球状体１５ａ，１７ａを有していたが、図９に示すように、第１突起１５，１７はその先端に球状体１５ａ，１７ａを有していなくともよい。
また、上述した実施形態における第２突起１６はその先端に球状体１６ａを有していなかったが、図９に示すように、第２突起１６はその先端に球状体１６ａを有していてもよい。
【００６７】
上述した実施形態におけるヘアブラシ１０は、第１突起として断面積の異なる第１小突起１５と第１大突起１７とを有し、幅方向Ｙにおいて第１大突起列Ｊ５の外方に第２突起１６を有していたが、図１０に示すヘアブラシ１０ｂのように、第１突起として第１小突起１５のみを有していてもよい。
また、上述した実施形態におけるヘアブラシ１０は、断面積が同一の第２突起１６を複数有しているが、断面積が相互に異なる第２突起を有していてもよく、長さが相互に異なる第２突起を有していてもよく、断面積及び長さそれぞれが相互に異なる第２突起を有していてもよい。
図１０に示すヘアブラシ１０ｂは、同じ断面積及び同じ長さを有する第２突起１６が長手方向Ｘに沿って並んだ第２突起列を２列有する、太突起領域Ｂを有している。図１１に示すヘアブラシ１０ｃは、長さが相互に異なる２種類の第２突起１６ｒ，１６ｓを有しており、長さが長い方の第２突起１６ｒが長手方向Ｘに沿って並んだ第２突起列を２列有し、長さが短い方の第２突起１６ｓが長手方向Ｘに沿って並んだ第２突起列を１列有している。ブラッシング時の抵抗をより低減すると共に、毛髪の絡まりをより容易に解す観点から、長さが相互に異なる複数種類の第２突起を有する場合、ヘアブラシは、図１１に示すように、長さが短い方の第２突起が、長さが長い方の第２突起よりも幅方向Ｙ外方に配置されていることが好ましい。ヘアブラシが、長さの異なる第２突起を複数種類有する場合、ブラシ面１３の幅方向Ｙの全長Ｗを二等分する二等分線ＣＬに最も近い突起を基準とし、該二等分線ＣＬから幅方向Ｙの外方に向かって各突起の断面積及び長さを順次比較したとき、前記基準とした突起よりも断面積が大きく且つ長さが短い突起を「第２突起」として特定する。
図１０及び図１１に示すように、太突起領域Ｂにおける第２突起列は２列以上であってもよく、例えば３列であってもよい。
【００６８】
本発明のヘアブラシは、主にヒトの頭髪のブラッシングに使用されるが、ペットや家畜等の身体や体毛のケア用に用いることもできる。
【００６９】
上述した実施形態に関し、本発明はさらに以下のヘアブラシを開示する。
＜１＞
棒状突起が立設されたブラシ面を有するヘッド部と柄とを有するヘアブラシであって、前記ブラシ面は、長手方向及び該長手方向と直交する幅方向を有しており、前記ブラシ面の前記幅方向の中央部に、第１突起が、相互間に間隔を設けて１本ずつ独立した状態に設けられた第１突起領域を有し、前記幅方向における第１突起領域を挟む両側それぞれに、第１突起に比して断面積が大きく長さが短い第２突起が、前記長手方向に沿って複数形成された第２突起列を有する、ヘアブラシ。
【００７０】
＜２＞
第２突起の曲げ剛性が、第１突起の曲げ剛性よりも高い、前記＜１＞に記載のヘアブラシ。
＜３＞
第２突起の曲げ剛性は、第１突起の曲げ剛性に対して２００％以上、好ましくは２５０％以上であり、また４５０％以下、好ましくは３５０％以下であり、また２００％以上４５０％以下、好ましくは２５０％以上３５０％以下である、前記＜１＞又は＜２＞に記載のヘアブラシ。
＜４＞
第２突起の曲げ剛性は、０．１Ｎ以上、好ましくは０．１２Ｎ以上であり、また０．３Ｎ以下、好ましくは０．２５Ｎ以下であり、また０．１Ｎ以上０．３Ｎ以下、より好ましくは０．１２Ｎ以上０．２５Ｎ以下である、前記＜１＞〜＜３＞の何れか１に記載のヘアブラシ。
＜５＞
第２突起の断面積は、第１突起の断面積に対して、３００％以上、好ましくは５００％以上であり、また１０００％以下、好ましくは９００％以下であり、また３００％以上１０００％以下、好ましくは５００％以上９００％以下である、前記＜１＞〜＜４＞の何れか１に記載のヘアブラシ。
＜６＞
第１突起の断面積は、０．１ｍｍ２以上、好ましくは０．１２ｍｍ２以上、より好ましくは０．１５ｍｍ２以上であり、また０．３ｍｍ２以下、好ましくは０．２８ｍｍ２以下、より好ましくは０．２７ｍｍ２以下であり、また０．１ｍｍ２以上０．３ｍｍ２以下、好ましくは０．１２ｍｍ２以上０．２８ｍｍ２以下、より好ましくは０．１５ｍｍ２以上０．２７ｍｍ２以下である、前記＜１＞〜＜５＞の何れか１に記載のヘアブラシ。
＜７＞
第２突起の長さが、第１突起の長さの４０％以上８０％以下である、前記＜１＞〜＜６＞の何れか１に記載のヘアブラシ。
＜８＞
第２突起の長さは、第１突起の長さの４０％以上、好ましくは５０％以上であり、また８０％以下、好ましくは７５％以下であり、また４０％以上８０％以下、好ましくは５０％以上７５％以下である、前記＜１＞〜＜７＞の何れか１に記載のヘアブラシ。
＜９＞
第１突起及び第２突起が、合成樹脂製である、前記＜１＞〜＜８＞の何れか１に記載のヘアブラシ。
＜１０＞
前記合成樹脂が、ポリアミド樹脂であり、該ポリアミド樹脂が、ナイロン又はナイロン６である、前記＜９＞に記載のヘアブラシ。
【００７１】
＜１１＞
第１突起の形成材料がナイロンである、前記＜１０＞に記載のヘアブラシ。
＜１２＞
第２突起の形成材料が、熱可塑性エラストマー樹脂又は直鎖状低密度ポリエチレン樹脂である、前記＜９＞〜＜１１＞の何れか１に記載のヘアブラシ。
＜１３＞
第１突起領域に、前記長手方向及び前記幅方向に分散した状態に複数の植毛穴が形成されており、第１突起は、個々の前記植毛穴に対して１本ずつのみ立設された植毛突起である、前記＜１＞〜＜１２＞の何れか１に記載のヘアブラシ。
＜１４＞
第２突起が、前記ブラシ面又は該ブラシ面の下に配された連続部と一体に成形された成形突起である、前記＜１＞〜＜１３＞の何れか１に記載のヘアブラシ。
＜１５＞
第２突起と、第２突起と一体に成形されている前記ブラシ面又は前記連続部とが、軟質樹脂から形成されている、前記＜１４＞に記載のヘアブラシ。
＜１６＞
第２突起及び前記柄が、導電性樹脂で形成されており、第２突起と該柄との間が電気的に接続されている、前記＜１＞〜＜１５＞何れか１に記載のヘアブラシ。
＜１７＞
第１突起は、断面積が相互に異なる第１小突起及び第１大突起を有し、該第１大突起の断面積は、第１小突起よりも大きく、且つ第２突起よりも小さく、第１突起領域には、第１大突起が前記長手方向に沿って複数形成されている、前記＜１＞〜＜１６＞何れか１に記載のヘアブラシ。
＜１８＞
第１大突起の曲げ剛性は、第１小突起の曲げ剛性に対して、１３０％以上、好ましくは１５０％以上であり、また２３０％以下、好ましくは２００％以下であり、また１３０％以上２３０％以下、好ましくは１５０％以上２００％以下である、前記＜１７＞に記載のヘアブラシ。
＜１９＞
第１小突起及び第１大突起は、長さが同じである、前記＜１７＞又は＜１８＞に記載のヘアブラシ。
＜２０＞
第１突起領域は、複数の第１小突起が長手方向Ｘに直列した第１小突起列を有しており、
第１小突起列形成された領域よりも幅方向Ｙの外方に、複数の第１大突起が前記長手方向に直列した第１大突起列が形成されている、前記＜１７＞〜＜１９＞の何れか１に記載のヘアブラシ。
【００７２】
＜２１＞
第１大突起列は、第１小突起列と第２突起列との間に配されている、前記＜２０＞に記載のヘアブラシ。
＜２２＞
前記幅方向における第１小突起列の配置ピッチＰ１は、２ｍｍ以上、好ましくは２．５ｍｍ以上であり、また５ｍｍ以下、好ましくは４ｍｍ以下であり、また２ｍｍ以上５ｍｍ以下、好ましくは２．５ｍｍ以上４ｍｍ以下である、前記＜２０＞又は＜２１＞に記載のヘアブラシ。
＜２３＞
第１小突起列中の第１小突起の配置ピッチＰ３は、３ｍｍ以上、好ましくは４ｍｍ以上であり、また７ｍｍ以下、好ましくは６．５ｍｍ以下であり、また３ｍｍ以上７ｍｍ以下、好ましくは４ｍｍ以上６．５ｍｍ以下である、前記＜２０＞〜＜２２＞の何れか１に記載のヘアブラシ。
＜２４＞
第１大突起の断面積は、第１小突起の断面積に対して１１０％以上、好ましくは１３０％以上であり、また１８０％以下、好ましくは１５０％以下であり、また１１０％以上１８０％以下、好ましくは１３０％以上１８０％以下である、前記＜１７＞〜＜２３＞の何れか１に記載のヘアブラシ。
＜２５＞
第１大突起の長さＬ７は、第１小突起の長さＬ３の８５％以上、好ましくは９５％以上であり、また１００％以下、好ましくは１００％以下であり、また８５％以上１００％以下、好ましくは９５％以上１００％以下である、前記＜１７＞〜＜２４＞の何れか１に記載のヘアブラシ。
＜２６＞
第１突起は、その先端に球状体を有している、前記＜１＞〜＜２５＞の何れか１項に記載のヘアブラシ。
＜２７＞
前記球状体は、その最大径部分の断面積が、突起の断面積の１１０％以上４００％以下、好ましくは１２０％以上２５０％以下である、前記＜２６＞に記載のヘアブラシ。
＜２８＞
第１突起領域には、１０ｍｍ四方当たり、５本以上１０本以下、好ましくは６本以上９本以下の存在密度で第１突起が設けられている、前記＜１＞〜＜２７＞の何れか１に記載のヘアブラシ。
＜２９＞
前記ブラシ面において、前記長手方向及び前記幅方向の最も外方側に位置する突起の中心どうしを結んで形成される領域を仮領域としたとき、
第１突起領域の面積は、前記仮領域の面積に対して２０％以上、好ましくは３５％以上であり、また８０％以下、好ましくは６０％以下であり、また２０％以上８０％以下、好ましくは３５％以上６０％以下である、前記＜１＞〜＜２８＞の何れか１に記載のヘアブラシ。
＜３０＞
第１突起領域における第１突起の総断面積の割合は、０．８％以上、好ましくは１％以上であり、また３％以下、好ましくは２．５％以下であり、また０．８％以上３％以下、好ましくは１％以上２．５％以下である、前記＜１＞〜＜２９＞の何れか１に記載のヘアブラシ。
【００７３】
＜３１＞
第１突起領域は、前記長手方向の長さＬ１が、前記ブラシ面の該長手方向の全長Ｌに対して７０以上、好ましくは８０％以上であり、また９５％以下、好ましくは９３％以下であり、また７０％以上９５％以下、好ましくは８０％以上９３％以下である、前記＜１＞〜＜３０＞の何れか１に記載のヘアブラシ。
＜３２＞
第１突起領域は、前記幅方向の長さＷ１が、前記ブラシ面の該幅方向の全長Ｗに対して８０％以上、好ましくは８５％以上であり、また９５％以下、好ましくは９３％以下であり、また８０％以上９５％以下、好ましくは８５％以上９３％以下である、前記＜１＞〜＜３１＞の何れか１に記載のヘアブラシ。
＜３３＞
第１突起領域は、第１突起が１０ｍｍ四方当たり５本以上１０本以下の存在密度で設けられた細突起領域を有し、該細突起領域が平面方向に１００ｍｍ２以上連続している、前記＜１＞〜＜３２＞の何れか１に記載のヘアブラシ。
＜３４＞
前記細突起領域の面積は、第１突起領域の面積に対して２０％以上、好ましくは３０％以上、より好ましくは３５％以上であり、また１００％以下、好ましくは９０％以下、さらに好ましくは８０％以下であり、また２０％以上１００％以下、好ましくは３０％以上９０％以下、より好ましくは３５％以上８０％以下である、前記＜３３＞に記載のヘアブラシ。
＜３５＞
前記細突起領域は、前記ブラシ面の前記幅方向の中央域に形成されており、該細突起領域の該幅方向の長さが、該ブラシ面の該幅方向の全長に対して２０％以上、好ましくは３０％以上であり、また８５％以下、好ましくは７５％以下であり、また２０％以上８５％以下、好ましくは３０％以上７５％以下である、前記＜３３＞又は＜３４＞に記載のヘアブラシ。
＜３６＞
前記細突起領域において、第１突起が前記長手方向に直列した第１突起列を前記幅方向に複数列有しており、
第１突起列の配置ピッチが２ｍｍ以上５ｍｍ以下であり、
第１突起列中の第１突起の配置ピッチＰ３が３ｍｍ以上７ｍｍであり、且つ前記幅方向において隣り合う第１突起列どうしは、第１突起の前記長手方向の配置位置が半ピッチ分ずれている、前記＜３３＞〜＜３５＞の何れか１に記載のヘアブラシ。
＜３７＞
第１突起領域は、前記長手方向に延びて形成されている、前記＜１＞〜＜３６＞の何れか１に記載のヘアブラシ。
＜３８＞
第２突起は、断面積が０．３ｍｍ２超である、前記＜１＞〜＜３７＞の何れか１に記載のヘアブラシ。
＜３９＞
第２突起列の列数は、２本以上５本以下、好ましくは２本以上４本以下である、前記＜１＞〜＜３８＞の何れか１に記載のヘアブラシ。
【実施例】
【００７４】
以下、実施例により本発明をさらに詳細に説明する。しかしながら本発明の範囲は、かかる実施例に制限されない。
【００７５】
〔実施例１〕
実施例１として、下記表３に示す棒状突起が立設されたブラシ面と、該ブラシ面を有するヘッド部と、柄とを有するヘアブラシを製造した。ブラシ面は、幅方向の長さが６０ｍｍであり、長手方向の長さが６０ｍｍであった。各棒状突起は、長手方向及び幅方向に互いに離間させ、且つ千鳥状に設けた。第１小突起の幅方向における配置ピッチＰ１、及び第１小突起の長手方向における配置ピッチＰ３を下記表３に示す。また、第１小突起列中の第１小突起の数、第１小突起列の列数を下記表３に示す。ブラシ面には、第１小突起がヘアブラシの長手方向に９本直列した第１小突起列を８列設け、さらに８列の第１小突起列が並んだ領域の幅方向外方の両側にそれぞれ第１大突起がヘアブラシの長手方向に９本直列した第１大突起列を１列ずつ設けた。また、第２突起として、長さが相互に異なる２種類の突起を用意し、第１突起領域の幅方向外方の両側それぞれに、即ち第１大突起列の幅方向外方に、第２突起がヘアブラシの長手方向に９本直列した第２突起列を３列設けた。具体的には、第１大突起列の幅方向Ｙ外方に、長さが長い方の第２突起（以下、第２長突起ともいう）が直列した第２突起列を２列配置し、これら２列の幅方向Ｙ外方に、長さが短い方の第２突起（以下、第２短突起ともいう）が直列した第２突起列を１列配置した。本実施例において「第２突起」は、第２長突起及び第２短突起の双方を意味する。第１大突起列は、幅方向において第１小突起列と、第２長突起が直列した第２長突起列との間に配置した。また、複数の第１小突起列及び第１大突起列が幅方向に並んだ第１突起領域と、該第１突起領域の幅方向の外方に、複数の第２突起列が幅方向に並んだ太突起領域とが形成されるように配置した。第１小突起列と第１大突起列との幅方向における離間距離を３ｍｍとし、第１大突起列と第２突起列との幅方向における離間距離を６ｍｍとし、第２突起列間の幅方向における離間距離を３ｍｍとした。これら突起の長さ（ｍｍ）、断面積（ｍｍ２）、曲げ剛性（Ｎ）を下記表３に示す。第１小突起及び第１大突起は、ナイロン樹脂を用いて作製し、第２突起はポリエステル系エラストマー樹脂を用いて射出成形によって作製した。ヘアブラシの基台本体及びブラシ基部は、アクリル樹脂を用いて射出成形によって作製した。各棒状突起は、図７（ｂ）に示す突起と同様に、植毛穴である貫通孔に棒状体を挿入し、該棒状体におけるブラシ面とは反対側の端部を加熱して留め部を形成することによって固定した。
【００７６】
〔実施例２〕
第２長突起が長手方向に直列した第２長突起列の列数を１列とした以外は、実施例１と同じ方法でヘアブラシを作製した。実施例２では、実施例１よりも第２突起列の列数を少なくしたので、太突起領域の幅方向の長さＷ２が９ｍｍであった。
【００７７】
〔実施例３〕
第２長突起を設けなかった以外は、実施例１と同じ方法でヘアブラシを作製した。実施例３では、実施例１よりも第２突起列の列数を少なくしたので、太突起領域の幅方向の長さＷ２が６ｍｍであった。
【００７８】
〔実施例４〕
第２短突起について断面積を０．２６ｍｍ２、及び曲げ剛性を０．２５Ｎとした以外は、実施例３と同じ方法でヘアブラシを作製した。第２突起はナイロン樹脂を用いて作製した。
【００７９】
〔実施例５〕
第１大突起を設けなかった以外は、実施例１と同じ方法でヘアブラシを作製した。
【００８０】
〔比較例１〕
第２長突起について長さを１８ｍｍ、断面積を２．７０ｍｍ２、及び曲げ剛性を０．１６Ｎとした以外は、実施例２と同じ方法でヘアブラシを作製した。
【００８１】
〔比較例２〕
第２突起を設けなかった以外は、実施例１と同じ方法でヘアブラシを作製した。
【００８２】
〔比較例３〕
第１大突起を設けなかった以外は、比較例２と同じ方法でヘアブラシを作製した
【００８３】
〔比較例４〕
第２短突起について長さを１２ｍｍ、断面積を０．１８ｍｍ２、及び曲げ剛性を０．１１Ｎとした以外は、実施例４と同じ方法でヘアブラシを作製した。
【００８４】
〔比較例５〕
第１小突起について断面積を０．２７ｍｍ２、及び曲げ剛性を０．１２Ｎとした以外は、比較例３と同じ方法でヘアブラシを作製した。
【００８５】
各実施例及び比較例におけるヘアブラシの構成を下記表３に示す。表３における棒状突起の断面積及び長さ、第１突起領域における１０ｍｍ四方当たり第１突起の本数、第１突起領域における第１突起の総数、ブラシ面の幅方向の全長Ｗに対する第１突起領域の幅方向の長さＷ１、並びに第１突起領域における第１突起の総断面積を、上述した方法により求めた。ここでいう第１突起は、第１小突起及び第１大突起のことを意味する。表３に示す、第２突起列の列数、太突起領域の幅方向の長さＷ２、及び第２突起の総数は、第１突起領域の両側に配された太突起領域のうちの片側のみの数である。また、表３に示す第１大突起列の列数は、第１小突起列が並んだ領域における幅方向両側のうちの片側のみの列数である。
【００８６】
〔評価用毛束〕
化学的処理履歴の無い日本人黒髪直毛で重さ４０ｇ、長さ３５ｃｍ、幅５．５ｃｍの毛束（トレス）を、市販のブリーチ剤（花王株式会社製、泡カラーハイブリーチ、１剤と２剤の混合比：１対２）でブリーチ処理した。このブリーチ処理として、以下の第１〜第３工程を行った。
第１工程：毛束と同質量の前記ブリーチ剤を該毛束に塗布し、３０分間室温で処理した後、４０℃の水道水で３０秒間すすぎ流した。
第２工程：次いで、毛束に、下記表１に処方を示すモデルシャンプーを３．０ｇ塗布して３０秒間泡立てて洗浄し、該毛束を４０℃の水道水で１分間すすぎ流した。
第３工程：次いで、毛束の水を指で軽く切り、パイル地のフェイスタオルを用いて毛束を３０秒間拭いた。
前記ブリーチ処理を３回行った毛束を、評価用毛束とし、下記のブラッシング時の抵抗性及び毛髪の絡まり性について評価した。
【００８７】
【表１】
2020081854.tif 000003
【００８８】
〔ブラッシング時の抵抗性及び毛髪の絡まり性の評価〕
評価用毛束を、４０℃の流水（水道水）で３０秒間濡らした後、表１に示すモデルシャンプーを３．０ｇ塗布し、３０秒間泡立てて洗浄し、さらに４０℃流水で１分間すすぎ流した。この評価用毛束に対し、下記表２に示すモデルコンディショナーを３．０ｇ塗布し、３０秒間なじませた後、４０℃の流水で１分間すすいで、水を指で軽く切り、パイル地のフェイスタオルを用いて３０秒間拭いた。これを、湿潤状態の評価用毛束とした。
【００８９】
【表２】
2020081854.tif 000004
【００９０】
湿潤状態の評価用毛束に対し各実施例及び比較例で得たヘアブラシを用い、ブラッシングを１０回行い、ブラッシング時の抵抗性を評価した。さらに、このブラッシング後の評価用毛束に残った毛髪の絡まり性を評価した。
【００９１】
ブラッシング時の抵抗性の評価は、３名の専門パネラーが下記に示す５段階評価に基づき評価し、その平均点を評価点として算出した。評価点を下記表３に示す。
５点：ブラッシング時の抵抗が弱い。
４点：ブラッシング時の抵抗がやや弱い。
３点：ブラッシング時の抵抗を感じる。
２点：ブラッシング時の抵抗がやや強い。
１点：ブラッシング時の抵抗が強い。
【００９２】
ブラッシング後における毛髪の絡まり性の評価は、３名の専門パネラーが、前記のブラッシング後の評価用毛束に指をとおした際の指どおりによって評価した。本評価は、下記に示す５段階評価に基づき評価し、その平均点を評価点として算出した。評価点を下記表３に示す。
５点：指どおりが良好であり、毛髪の絡まりが残っていない。
４点：指どおりがやや良好であり、毛髪の絡まりがほぼ残っていない。
３点：毛髪の引っ掛かりを弱く感じる程度に、毛髪の絡まりがやや残っている。
２点：毛髪の引っ掛かりを感じる程度に、毛髪の絡まりが残っている。
１点：毛髪の引っ掛かりを強く感じる程度に、毛髪の絡まりが残っている。
【００９３】
【表３】
2020081854.tif 000005
【００９４】
上記の表３に示すように、実施例１〜５のヘアブラシは、ブラッシング時の抵抗性の評価点が３．３点以上であり、ブラッシング後における毛髪の絡まり性の評価点が３．５以上であった。一方、比較例１〜５のヘアブラシは、ブラッシング時の抵抗性及びブラッシング後における毛髪の絡まり性の何れか一方又は双方の評価点が３．０点を下回る評価であった。以上の結果から、実施例１〜５のヘアブラシでは、湿潤状態の毛髪に対する抵抗を抑えながら、毛髪の絡まりを解消させることができた。即ち、湿潤状態の毛髪に対し、軽い荷重で効果的にブラッシングすることができるため、該毛髪に対するブラッシング時のダメージを低減することができる。
表３における実施例１と実施例５との対比から、第１突起領域に第１大突起列を設けることで、ブラッシング時の抵抗を低減する効果と、毛髪の絡まりを解消する効果とをより向上させることが示された。
【符号の説明】
【００９５】
１０    ヘアブラシ
１１    基台本体
１２    ヘッド部
１２ａ  ヘッド基部
１２ｂ  装着開口
１２ｃ  柄
１３    ブラシ面
１３ａ  ブラシ基部
１５    第１小突起
１６    第２突起
１７    第１大突起
１８    植毛穴
Ａ    第１突起領域
Ｂ    太突起領域
Ｆ    仮領域
Ｘ    長手方向
Ｙ    幅方向
【図１】
2020081854.tif 000006
【図２】
2020081854.tif 000007
【図３】
2020081854.tif 000008
【図４】
2020081854.tif 000009
【図５】
2020081854.tif 000010
【図６】
2020081854.tif 000011
【図７】
2020081854.tif 000012
【図８】
2020081854.tif 000013
【図９】
2020081854.tif 000014
【図１０】
2020081854.tif 000015
【図１１】
2020081854.tif 000016